(57)【特許請求の範囲】
【請求項１】
被検眼のデータを光学的に取得する取得部と、
前記データを取得するための操作用オブジェクトを含むグラフィカルユーザインターフェイスを表示するタッチパネルディスプレイと、
１以上のハードスイッチと、
前記１以上のハードスイッチの少なくとも１つに前記操作用オブジェクトを対応付ける対応付け部と、
前記操作用オブジェクトに対するタッチ操作が行われたときと、前記対応付け部により前記操作用オブジェクトに対応付けられたハードスイッチに対する操作が行われたときとで同じ制御を実行する動作制御部と、
を含み、
前記対応付け部は、前記取得部の動作モードが変更されたとき、前記１以上のハードスイッチの少なくとも１つに対応付けが可能な操作用オブジェクトの候補を提示する、眼科装置。
【請求項２】
被検眼のデータを光学的に取得する取得部と、
前記データを取得するための操作用オブジェクトを含むグラフィカルユーザインターフェイスを表示するタッチパネルディスプレイと、
１以上のハードスイッチと、
前記１以上のハードスイッチの少なくとも１つに前記操作用オブジェクトを対応付ける対応付け部と、
前記操作用オブジェクトに対するタッチ操作が行われたときと、前記対応付け部により前記操作用オブジェクトに対応付けられたハードスイッチに対する操作が行われたときとで同じ制御を実行する動作制御部と、
を含み、
前記データを取得するための２以上の動作を順次に行う場合、前記対応付け部は、前記２以上の動作のいずれかの動作から次の動作に移行されたとき、前記１以上のハードスイッチの少なくとも１つに対応付けが可能な操作用オブジェクトの候補を提示する、眼科装置。
【請求項３】
被検眼のデータを光学的に取得する取得部と、
前記データを取得するための操作用オブジェクトを含むグラフィカルユーザインターフェイスを表示するタッチパネルディスプレイと、
１以上のハードスイッチと、
前記１以上のハードスイッチの少なくとも１つに前記操作用オブジェクトを対応付ける対応付け部と、
前記操作用オブジェクトに対するタッチ操作が行われたときと、前記対応付け部により前記操作用オブジェクトに対応付けられたハードスイッチに対する操作が行われたときとで同じ制御を実行する動作制御部と、
前記タッチパネルディスプレイの画面の向きを検出する向き検出部と、
を含み、
前記対応付け部は、前記向き検出部により検出された前記画面の向きに応じて前記１以上のハードスイッチの少なくとも１つに対応付けが可能な操作用オブジェクトの候補を提示する、眼科装置。
【請求項４】
被検眼のデータを光学的に取得する取得部と、
前記データを取得するための操作用オブジェクトを含むグラフィカルユーザインターフェイスを表示するタッチパネルディスプレイと、
１以上のハードスイッチと、
前記１以上のハードスイッチの少なくとも１つに前記操作用オブジェクトを対応付ける対応付け部と、
前記操作用オブジェクトに対するタッチ操作が行われたときと、前記対応付け部により前記操作用オブジェクトに対応付けられたハードスイッチに対する操作が行われたときとで同じ制御を実行する動作制御部と、
前記タッチパネルディスプレイの画面の向きを検出する向き検出部と、
を含み、
前記対応付け部は、前記向き検出部により検出された前記画面の向きに応じて前記１以上のハードスイッチと操作用オブジェクトとの対応付けを変更する、眼科装置。
【請求項５】
前記対応付け部によるハードスイッチと操作用オブジェクトとの対応関係を示す情報を表示手段に表示させる表示制御部を含む
ことを特徴とする請求項１〜請求項４のいずれか一項に記載の眼科装置。
【請求項６】
前記１以上のハードスイッチの少なくとも１つの近傍に設けられたコントロールレバーを含む
ことを特徴とする請求項１〜請求項５のいずれか一項に記載の眼科装置。
【発明の詳細な説明】
【技術分野】
【０００１】
この発明は、眼科装置に関する。
【背景技術】
【０００２】
眼科装置は、光学系を用いて被検眼の特性を測定したり被検眼を撮影したりすることが可能な装置である。眼科装置は、一般的に、ベースに対して左右方向、上下方向及び前後方向に移動可能に設けられた測定ヘッドと、眼科装置を操作するためのコントロールレバーを備えた操作部とを含む。測定ヘッドには、被検眼の特性の測定又は被検眼の撮影を行うための光学系と、被検眼に対して光学系の位置合わせを行うためのアライメント手段等とが設けられている。眼科装置は、操作部に対する操作を受けて測定ヘッドを移動し、移動された測定ヘッドの位置で測定や撮影を実行する。
【０００３】
たとえば、特許文献１には、画面の向きを変更可能なタッチパネルディスプレイを備えたユーザインターフェイス部が測定ヘッドの頂部に設けられた眼科装置が開示されている。検者等の操作者は、画面の向きを変更しつつタッチパネルディスプレイに対してタッチ操作を行うことにより任意の位置で被検眼の特性の測定等を行うことができる。
【先行技術文献】
【特許文献】
【０００４】
【特許文献１】特開２０１２−１４８０３０号公報
【発明の概要】
【発明が解決しようとする課題】
【０００５】
しかしながら、従来のコントロールレバーを用いたレバー操作に慣れた検者にとって、タッチパネルディスプレイに対するタッチ操作は眼科装置に対する操作性を低下させる場合がある。このような検者にとって、好みに応じた操作が可能になれば、眼科装置に対する操作性の低下を抑えることができる。
【０００６】
本発明は、上記の問題点を解決するためになされたものであり、レバー操作に慣れた操作者であっても眼科装置に対する操作性の維持が可能な技術を提供することを目的とする。
【課題を解決するための手段】
【０００７】
実施形態に係る眼科装置は、取得部と、タッチパネルディスプレイと、１以上のハードスイッチと、対応付け部と、動作制御部とを含む。取得部は、被検眼のデータを光学的に取得する。タッチパネルディスプレイは、データを取得するための操作用オブジェクトを含むグラフィカルユーザインターフェイスを表示する。タッチパネルディスプレイと、対応付け部は、１以上のハードスイッチの少なくとも１つに操作用オブジェクトを対応付ける。動作制御部は、操作用オブジェクトに対するタッチ操作が行われたときと、対応付け部により操作用オブジェクトに対応付けられたハードスイッチに対する操作が行われたときとで同じ制御を実行する。対応付け部は、取得部の動作モードが変更されたとき、１以上のハードスイッチの少なくとも１つに対応付けが可能な操作用オブジェクトの候補を提示する。
別の実施形態に係る眼科装置は、取得部と、タッチパネルディスプレイと、１以上のハードスイッチと、対応付け部と、動作制御部とを含む。取得部は、被検眼のデータを光学的に取得する。タッチパネルディスプレイは、データを取得するための操作用オブジェクトを含むグラフィカルユーザインターフェイスを表示する。タッチパネルディスプレイと、対応付け部は、１以上のハードスイッチの少なくとも１つに操作用オブジェクトを対応付ける。動作制御部は、操作用オブジェクトに対するタッチ操作が行われたときと、対応付け部により操作用オブジェクトに対応付けられたハードスイッチに対する操作が行われたときとで同じ制御を実行する。データを取得するための２以上の動作を順次に行う場合、対応付け部は、２以上の動作のいずれかの動作から次の動作に移行されたとき、１以上のハードスイッチの少なくとも１つに対応付けが可能な操作用オブジェクトの候補を提示する。
別の実施形態に係る眼科装置は、取得部と、タッチパネルディスプレイと、１以上のハードスイッチと、対応付け部と、動作制御部と、向き検出部とを含む。取得部は、被検眼のデータを光学的に取得する。タッチパネルディスプレイは、データを取得するための操作用オブジェクトを含むグラフィカルユーザインターフェイスを表示する。タッチパネルディスプレイと、対応付け部は、１以上のハードスイッチの少なくとも１つに操作用オブジェクトを対応付ける。動作制御部は、操作用オブジェクトに対するタッチ操作が行われたときと、対応付け部により操作用オブジェクトに対応付けられたハードスイッチに対する操作が行われたときとで同じ制御を実行する。向き検出部は、タッチパネルディスプレイの画面の向きを検出する。対応付け部は、向き検出部により検出された画面の向きに応じて１以上のハードスイッチの少なくとも１つに対応付けが可能な操作用オブジェクトの候補を提示する。
別の実施形態に係る眼科装置は、取得部と、タッチパネルディスプレイと、１以上のハードスイッチと、対応付け部と、動作制御部と、向き検出部とを含む。取得部は、被検眼のデータを光学的に取得する。タッチパネルディスプレイは、データを取得するための操作用オブジェクトを含むグラフィカルユーザインターフェイスを表示する。タッチパネルディスプレイと、対応付け部は、１以上のハードスイッチの少なくとも１つに操作用オブジェクトを対応付ける。動作制御部は、操作用オブジェクトに対するタッチ操作が行われたときと、対応付け部により操作用オブジェクトに対応付けられたハードスイッチに対する操作が行われたときとで同じ制御を実行する。向き検出部は、タッチパネルディスプレイの画面の向きを検出する。対応付け部は、向き検出部により検出された画面の向きに応じて１以上のハードスイッチと操作用オブジェクトとの対応付けを変更する。
【発明の効果】
【０００８】
この発明によれば、レバー操作に慣れた操作者であっても眼科装置に対する操作性の維持が可能になる。
【図面の簡単な説明】
【０００９】
【図１】実施形態の眼科装置の外観構成の一例を示す概略図。
【図２】実施形態の眼科装置の制御系の構成例を示す概略図。
【図３】実施形態の眼科装置の動作を説明するための概略図。
【図４】実施形態の眼科装置の動作を説明するための概略図。
【図５】実施形態の眼科装置の動作を説明するための概略図。
【図６】実施形態の眼科装置の動作例を示すフロー図。
【図７】実施形態の変形例１に係る眼科装置を説明するための概略図。
【図８】実施形態の変形例２に係る眼科装置を説明するための概略図。
【発明を実施するための形態】
【００１０】
この発明に係る眼科装置の実施形態の例について、図面を参照しながら詳細に説明する。なお、この明細書において引用された文献の記載内容や任意の公知技術を、以下の実施形態に援用することが可能である。
【００１１】
実施形態に係る眼科装置は、被検眼のデータを光学的に取得する取得部と、当該眼科装置を操作するためのユーザインターフェイス（Ｕｓｅｒ  Ｉｎｔｅｒｆａｃｅ：以下、ＵＩ）部と、１以上のハードスイッチとを含む。取得部の機能は、被検眼の特性を測定するための光学系（測定部）や被検眼の画像を撮影するための光学系（撮影部）等により実現可能である。以下、実施形態に係る眼科装置は、検者等によるＵＩ部やハードスイッチに対する操作を受け、任意の自覚検査及び／又は任意の他覚検査を単体で実行可能であるものとする。
【００１２】
たとえば、眼科装置は、自覚検査として、遠用検査、近用検査、コントラスト検査、グレア検査などを実行可能であり、かつ、他覚検査として、他覚屈折測定、角膜形状測定などを実行可能な検眼装置（オートレフケラトメータ）であってよい。しかし、実施形態に係る眼科装置はこれに限定されるものではない。本発明を適用可能な眼科装置として、眼底撮影装置や、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）装置や、眼軸長測定装置や、眼圧計などがある。眼底撮影装置は、眼底を撮影する装置である。ＯＣＴ装置は、眼底や前眼部などの被検眼の任意の部位をＯＣＴを用いて画像化する装置である。眼軸長測定装置は、たとえば、被検眼に光を照射することにより角膜頂点位置から網膜前面までの距離を眼軸長として測定する装置である。眼圧計は、たとえば、圧縮空気が吹き付けられた被検眼の前眼部を照明することにより取得された角膜からの戻り光の光量と圧縮空気の圧力等とに基づいて眼圧を測定する装置である。
【００１３】
以下、眼科装置の前後方向をＺ方向とし、左右方向をＸ方向とし、上下方向をＹ方向とする。
【００１４】
［眼科装置］
図１及び図２に、実施形態に係る眼科装置の構成例を示す。図１は、実施形態に係る眼科装置の外観構成の概略図を表す。図２は、実施形態に係る眼科装置の制御系の構成例のブロック図を表す。
【００１５】
眼科装置１は、ベース２と、測定ヘッド３と、あご受け部４と、ＵＩ部１０と、操作ユニット２０とを含む。あご受け部４には、額当て５が設けられている。被検者は、あご受け部４にあごを置き、額当て５に額を当てた状態で検査を受ける。
【００１６】
（測定ヘッド）
測定ヘッド３の内部には、公知の測定光学系６が設けられている。測定光学系６は、被検眼の前眼部、角膜、眼底等のデータを取得するために用いられる。測定光学系６は、被検眼の前眼部、角膜、眼底等の観察や撮影を行うための光学系であってよい。
【００１７】
測定ヘッド３は、眼屈折力測定部３Ａと、角膜形状測定部３Ｂと、眼圧測定部３Ｃと、角膜厚測定部３Ｄとを含む。
【００１８】
眼屈折力測定部３Ａは、近赤外光を被検眼の網膜に投影し、網膜からの反射像を取得するための光学系を備えている。演算処理部２００は、眼屈折力測定部３Ａにより取得された被検眼の網膜からの反射像に対して演算処理を施すことにより、被検眼を正視と同じ状態にするのに必要な補正レンズの球面屈折力、円柱屈折力及び乱視軸方向を算出する。
【００１９】
角膜形状測定部３Ｂは、ケラトリングを被検眼の角膜に投影し、角膜表面からの反射像を取得するための光学系を備えている。演算処理部２００は、角膜形状測定部３Ｂにより取得された被検眼の角膜表面からの反射像に対して演算処理を施すことにより、角膜曲率半径を算出し、算出された角膜曲率半径から角膜屈折力、角膜乱視度及び角膜乱視軸方向を算出する。
【００２０】
眼圧測定部３Ｃは、測定ノズルから空気を被検眼の角膜にあて、当該角膜の一定面積を平面にするために要したシリンダー内の圧力を検知するための構成を備えている。演算処理部２００は、眼圧測定部３Ｃにより検知された圧力を用いて演算処理を行うことにより眼圧値を算出する。
【００２１】
角膜厚測定部３Ｄは、被検眼の角膜に対して斜めからスリット光を投影し、角膜表面及び角膜裏面からの反射光を受光するための光学系を備えている。演算処理部２００は、角膜厚測定部３Ｄにより受光された反射光を用いて演算処理を行うことにより角膜厚を算出する。
【００２２】
測定ヘッド３は、複数のアライメントモードで眼科装置１のアライメントを実行するためのアライメント手段を備えている。測定ヘッド３は、アライメント手段として、Ｚ方向のアライメントを行うためのＺアライメント投影系と、ＸＹ方向のアライメントを行うためのＸＹアライメントスポット投影系とを含む。
【００２３】
Ｚアライメント投影系は、たとえば、光源と、検出素子とを含む。光源は、光を被検眼の角膜に投影する。検出素子は、光源により角膜に投影された光の戻り光を検出する。角膜頂点の位置がＺ方向に移動すると検出素子に投影される戻り光の位置が変化する。この戻り光の位置の変化に基づいて測定光学系６を制御することにより、手動又は自動でＺ方向のアライメントを行うことが可能である。手動でアライメントを行う場合、ＵＩ部１０又は操作ユニット２０が用いられる。
【００２４】
ＸＹアライメントスポット投影系は、たとえば、光源を含む。光源から光の光路は測定光学系６の光路に合成される。光源からの光は、たとえば、測定光学系６の光路を経由して、被検眼の角膜に投影される。被検眼に投影された光は、角膜で反射され、撮影用に別途に設けられた撮像素子に投影される。所定のアライメント目標位置に対する撮像素子に投影された戻り光の位置のずれに基づいて測定光学系６を制御することにより、、手動又は自動によりＸＹ方向のアライメントを行うことが可能である。手動でアライメントを行う場合、ＵＩ部１０又は操作ユニット２０が用いられる。
【００２５】
（ベース）
ベース２には、測定ヘッド３やあご受け部４を駆動する公知の駆動系８が設けられている。駆動系８は、移動機構８１と、駆動部８２とを含む。移動機構８１は、上下方向、左右方向及び前後方向のうち少なくとも１つの方向に測定ヘッド３を移動したり、上下方向にあご受け部４を移動したりする。駆動部８２は、移動機構８１を駆動する。
【００２６】
移動機構８１は、上下移動機構８１Ａと、左右移動機構８１Ｂと、前後移動機構８１Ｃと、あご受け移動機構８１Ｄとを含む。駆動部８２は、上下駆動部８２Ａと、左右駆動部８２Ｂと、前後駆動部８２Ｃと、あご受け駆動部８２Ｄとを含む。上下移動機構８１Ａは、測定ヘッド３を上下方向に移動する。上下駆動部８２Ａは、上下移動機構８１Ａを駆動する。左右移動機構８１Ｂは、測定ヘッド３を左右方向に移動する。左右駆動部８２Ｂは、左右移動機構８１Ｂを駆動する。前後移動機構８１Ｃは、測定ヘッド３を前後方向に移動する。前後駆動部８２Ｃは、前後移動機構８１Ｃを駆動する。あご受け移動機構８１Ｄは、あご受け部４を上下方向に移動する。あご受け駆動部８２Ｄは、あご受け移動機構８１Ｄを駆動する。このような駆動系８の構成は、たとえば特開２００８−６１７１５号公報に記載されるように公知である。測定ヘッド３は、駆動系８により駆動されることで、ベース２に対して上下方向、左右方向及び前後方向に移動される。それにより、あご受け部４に保持されている被検者の顔に対する測定ヘッド３の位置が変更される。あご受け部４は、駆動系８により駆動されることで、ベース２に対して上下方向に移動される。それにより、あご受け部４に保持されている被検者の顔の位置が変更される。
【００２７】
（ＵＩ部）
ＵＩ部１０は、タップ操作、長押し操作、ドラッグ操作などのタッチ操作が可能なタッチパネルディスプレイ１０ａを含む。タッチパネルディスプレイ１０ａの画面には、眼科装置１を操作するためのグラフィカルユーザインターフェイス（Ｇｒａｐｈｉｃａｌ  Ｕｓｅｒ  Ｉｎｔｅｒｆａｃｅ：以下、ＧＵＩ）や被検眼の像や検査結果などが表示される。タッチパネルディスプレイ１０ａの画面に表示されるＧＵＩには、操作用オブジェクトが含まれる。操作用オブジェクトには、ボタンオブジェクト、チェックボックスオブジェクト、ラジオボタンオブジェクト、スクロールバーオブジェクトなどがある。たとえば、タッチパネルディスプレイ１０ａの画面に表示されたボタンオブジェクト（以下、ボタン）に対してタッチ操作が行われたとき、当該タッチ操作の操作内容が特定され、特定された操作内容に応じて測定ヘッド３等が制御される。
【００２８】
ＵＩ部１０は、水平方向及び垂直方向のそれぞれに回動可能に測定ヘッド３の頂部９に取り付けられている。ＵＩ部１０の回動により回動前後のタッチパネルディスプレイ１０ａの画面の上下方向又は左右方向が逆方向になる場合、眼科装置１は、回動前後で当該画面に表示される画像の見た目上の位置が同じ位置になるように画像情報に対する制御を行うことが可能である。たとえば、眼科装置１は、ＵＩ部１０の回動に応じて、画像情報の上下方向又は左右方向の反転制御を行う。このような制御は、たとえば特開２０１２−１４８０３０号公報に記載されるように公知である。
【００２９】
向き検出部１１は、タッチパネルディスプレイ１０ａの画面の向きを検出する。向き検出部１１は、ＵＩ部１０の水平方向の回動軸回りの回動方向及び回動角度と、ＵＩ部１０の垂直方向の回動軸回りの回動方向及び回動角度とを検出することによりタッチパネルディスプレイ１０ａの画面の向きを検出することが可能である。向き検出部１１による検出結果は、制御部１００に送られる。なお、向き検出部１１は、水平方向及び垂直方向のそれぞれの回動軸回りの回動方向及び回動角度を制御部１００に送信してもよい。
【００３０】
（操作ユニット）
操作ユニット２０は、眼科装置１に対して着脱可能である。たとえば、操作ユニット２０は、眼科装置１の底面に設けられた複数の脚部１ａのうち少なくとも１つに係合する係合部２０ａを含む。脚部１ａに係合部２０ａ係合させることにより、眼科装置１に装着された操作ユニット２０の移動を規制することができる。
【００３１】
操作ユニット２０は、１以上のハードスイッチ２１と、コントロールレバー２２とを含む。
【００３２】
ハードスイッチ２１には、押しボタンスイッチ、ロッカースイッチ、タクタイルスイッチ、ディップスイッチなどがある。操作ユニット２０は、ハードスイッチ２１に対する操作（たとえば、押下操作）を検出するための操作検出手段を含む。検出手段による検出結果は、制御部１００に送られる。この実施形態では、操作ユニット２０は、ハードスイッチ２１として、第１スイッチ部２１ａと、第２スイッチ部２１ｂとを含む。第１スイッチ部２１ａ及び第２スイッチ部２１ｂのそれぞれは、押しボタンスイッチである。操作ユニット２０は、操作検出手段として、第１スイッチ部２１ａ及び第２スイッチ部２１ｂのそれぞれに対する押下操作を検出するハードスイッチ操作検出部を含む。
【００３３】
コントロールレバー２２は、たとえば、操作レバーと、操作レバーの基端を傾倒可能に支持する支持部とを含む。操作レバーは、支持軸と、支持軸の先端に設けられた把持部とを含む。支持軸の基端には、支持部が接続される。把持部は、支持軸の回りを回動可能に保持され回動操作を行うための操作ノブと、押下操作を行うための測定スイッチとを含む。測定スイッチは、把持部の頂部に設けられる。支持部は、支持軸に対する前後方向への傾倒操作による傾倒方向及び傾倒角度と、支持軸に対する左右方向への傾倒操作による傾倒方向及び傾倒角度とを検出する２つのポテンショメータを含む。また、支持部は、操作ノブに対する回動操作による支持軸の回りの回動方向と回動角度とを検出するロータリエンコーダと、測定スイッチに対する押下操作による測定スイッチ操作を検出する測定スイッチ操作検出部とを含む。
【００３４】
眼科装置１と操作ユニット２０とは、たとえば、ＵＳＢ（Ｕｎｉｖｅｒｓａｌ  Ｓｅｒｉａｌ  Ｂｕｓ）規格に準拠したＵＳＢケーブルで接続される。眼科装置１は、ＵＳＢケーブルを介して操作ユニット２０に対して電源を供給するとともに、前述のハードスイッチ操作検出部、２つのポテンショメータ、ロータリエンコーダ及び測定スイッチ操作検出部を制御するための制御信号を送信する。操作ユニット２０は、眼科装置１からの制御信号を受け、ハードスイッチ２１やコントロールレバー２２に対して行われた操作内容に対応した操作検出信号をＵＳＢケーブルを介して眼科装置１に対して送信する。
【００３５】
コントロールレバー２２（操作レバー）は、ハードスイッチ２１（第１スイッチ部２１ａ及び第２スイッチ部２１ｂの少なくとも１つ）の近傍に設けられていてよい。それにより、検者は、コントロールレバー２２（操作レバー）を把持しつつハードスイッチ２１に対する押下操作を行うことが可能になり、操作中に視線を移動させることなく傾倒操作や押下操作を行うことができる。
【００３６】
（出力部）
出力部９０は、測定光学系６を用いて取得された測定結果を出力する。この実施形態では、出力部９０は、測定結果のプリントアウトを行う。出力部９０は、測定光学系６を用いて取得された被検眼の画像をプリントアウトすることも可能である。出力部９０は、測定モードに応じた出力レイアウトで測定結果等をプリントアウトすることが可能である。出力レイアウトは、任意に変更可能である。
【００３７】
（制御部）
眼科装置１の制御系は、制御部１００を中心に構成される。制御部１００は、たとえば、マイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ等を含む。制御部１００には、主制御部１１０と記憶部１２０とが設けられている。
【００３８】
主制御部１１０は、眼科装置１の各部の制御を行う。特に、主制御部１１０は、測定ヘッド３、ＵＩ部１０、向き検出部１１、駆動系８（駆動部８２）、操作ユニット２０及び演算処理部２００等を制御する。
【００３９】
測定ヘッド３に対する制御としては、たとえば、被検眼に対する光学系の位置合わせを行うためのアライメントや、被検眼の特性の測定又は被検眼の撮影を行うための光学系の制御などがある。眼科装置１は、複数の測定モードで動作可能である。測定モードには、眼屈折力測定や角膜形状測定を行うためのＲ／Ｋ測定モードと、眼圧測定や角膜厚測定を行うためのＴ／Ｐ測定モードと、Ｒ／Ｋ測定モードでの測定とＴ／Ｐ測定モードでの測定とを連続で実行するＲ／Ｋ→Ｔ／Ｐ測定モードとがある。Ｒ／Ｋ測定モードには、眼屈折力測定を単独で行うためのＲＥＦモードと、角膜形状測定を単独で行うためのＫＲＴモードと、眼屈折力測定と角膜形状測定とを連続で行うＲ／Ｋモードとがある。Ｔ／Ｐ測定モードには、眼圧測定を単独で行うためのＴＯＮＯモードと、眼圧測定と角膜厚測定とを連続で実行するＴ／Ｐモードとがある。主制御部１１０は、眼屈折力測定部３Ａ、角膜形状測定部３Ｂ、眼圧測定部３Ｃ及び角膜厚測定部３Ｄを制御することにより、測定モードに応じた被検眼の測定等の制御を実行する。
【００４０】
ＵＩ部１０に対する制御としては、測定ヘッド３を用いて取得された被検眼の画像やＧＵＩの表示制御や、タッチパネルディスプレイ１０ａに対するタッチ操作の受付制御などがある。向き検出部１１に対する制御としては、タッチパネルディスプレイ１０ａの画面の向きの検出結果の取得制御などがある。駆動系８（駆動部８２）に対する制御としては、たとえば、上下駆動部８２Ａ、左右駆動部８２Ｂ、前後駆動部８２Ｃ及びあご受け駆動部８２Ｄに対する駆動制御などがある。
【００４１】
操作ユニット２０に対する制御としては、コントロールレバー２２に対する傾倒操作、第１スイッチ部２１ａに対する押下操作及び第２スイッチ部２１ｂに対する押下操作などの各種操作の受付制御などがある。主制御部１１０は、ＵＩ部１０又は操作ユニット２０に対して行われた操作内容に基づいて、眼科装置１の各部の制御を行う。
【００４２】
演算処理部２００に対する制御としては、測定ヘッド３の各部を用いて前述のように取得された反射像等を用いた演算処理の制御などがある。
【００４３】
主制御部１１０は、対応付け部１１１と、動作制御部１１２と、表示制御部１１３とを含む。
【００４４】
対応付け部１１１は、第１スイッチ部２１ａ及び第２スイッチ部２１ｂの少なくとも１つに、タッチパネルディスプレイ１０ａに表示されているＧＵＩに含まれる操作用オブジェクトを対応付ける（関連付ける）。以下、図３及び図４を用いて、対応付け部１１１の動作について説明する。
【００４５】
図３及び図４に、タッチパネルディスプレイ１０ａの画面に表示されたＧＵＩの一例を示す。図３は、Ｒ／Ｋ測定モードのときのＧＵＩの一例を表す。図４は、Ｔ／Ｐ測定モードのときのＧＵＩの一例を表す。図４において、図３と同様の部分には同一符号を付し、適宜説明を省略する。
【００４６】
Ｒ／Ｋ測定モードのとき、図３に示すように、タッチパネルディスプレイ１０ａの画面には、表示部Ｇ１と、操作用オブジェクト配置部Ｇ２とが設けられる。表示部Ｇ１には、被検者ＩＤ（患者ＩＤ）、検者ＩＤ、測定モード、測定結果、アライメントマーク、被検眼の画像などが表示される。操作用オブジェクト配置部Ｇ２には、複数の操作用オブジェクトが表示される。操作用オブジェクト配置部Ｇ２には、Ｒボタンｇｂ１、あご受け上下動ボタンｇｂ２、測定モードボタンｇｂ３、モードボタンｇｂ４、Ｌボタンｇｂ５、測定ヘッド前進／後進ボタンｇｂ６、スタートボタンｇｂ７、オート／マニュアルボタンｇｂ８が表示される。あご受け上下動ボタンｇｂ２は、上方向の移動ボタンと下方向の移動ボタンとを含む。測定ヘッド前進／後進ボタンｇｂ６は、前進方向の移動ボタンと後進方向の移動ボタンとを含む。また、操作用オブジェクト配置部Ｇ２には、白内障モードボタンｇｂ１０、固視標ボタンｇｂ１１、ＦＯＧボタンｇｂ１２、プリントボタンｇｂ１３などが更に表示される。
【００４７】
Ｒボタンｇｂ１は、検査対象眼として右眼を選択するためのボタンである。Ｒボタンｇｂ１に対してタッチ操作が行われたとき、主制御部１１０（動作制御部１１２）は、左右駆動部８２Ｂ等を制御することにより測定ヘッド３を右眼の測定位置に移動する。
【００４８】
あご受け上下動ボタンｇｂ２は、あご受け部４を上下動するためのボタンである。あご受け上下動ボタンｇｂ２に対してタッチ操作が行われたとき、主制御部１１０は、あご受け駆動部８２Ｄを制御することによりあご受け部４を上下方向に移動する。このとき、主制御部１１０は、測定ヘッド３を後退させてもよい。
【００４９】
測定モードボタンｇｂ３は、ＲＥＦモード、ＫＲＴモード、Ｒ／Ｋモードのいずれかの測定モードに切り替えるためのボタンである。モードボタンｇｂ４は、Ｒ／Ｋ測定モード、Ｔ／Ｐ測定モード、Ｒ／Ｋ→Ｔ／Ｐ測定モードのいずれかの測定モードに切り替えるためのボタンである。測定モードボタンｇｂ３又はモードボタンｇｂ４に対してタッチ操作が行われたとき、主制御部１１０は、タッチ操作により指定された測定モードを切り替える制御を実行する。
【００５０】
Ｌボタンｇｂ５は、検査対象眼として左眼を選択するためのボタンである。Ｌボタンｇｂ５に対してタッチ操作が行われたとき、主制御部１１０は、左右駆動部８２Ｂ等を制御することにより測定ヘッド３を左眼の測定位置に移動する。
【００５１】
測定ヘッド前進／後進ボタンｇｂ６は、被検眼に対し測定ヘッド３を接近させたり後退させたりするためのボタンである。測定ヘッド前進／後進ボタンｇｂ６に対してタッチ操作が行われたとき、主制御部１１０は、前後駆動部８２Ｃを制御することにより測定ヘッド３を前後方向に移動する。
【００５２】
スタートボタンｇｂ７は、測定を開始するためのボタンである。スタートボタンｇｂ７に対してタッチ操作が行われたとき、主制御部１１０は、選択されている測定モードでの測定を開始させる。
【００５３】
オート／マニュアルボタンｇｂ８は、オートモードとマニュアルモードとを切り替えるためのボタンである。オートモードは、被検眼に対する測定ヘッド３のアライメントを前述のように自動で実行するモードである。マニュアルモードは、ＵＩ部１０又は操作ユニット２０を用いて測定ヘッド３のアライメントを手動で実行するモードである。なお、ＵＩ部１０又は操作ユニット２０を用いてアライメント誤差が所定範囲内まで追い込まれたときに自動でマニュアルモードからオートモードに移行してよい（セミオートモード）。オートモードにおいてＸＹ方向のアライメントを実行する場合、主制御部１１０は、たとえば、所定のアライメント目標位置と撮像素子に投影された戻り光の位置とのずれ量がキャンセルされるように測定ヘッド３をＸ方向及びＹ方向の少なくとも一方に移動する。オートモードにおいてＺ方向のアライメントを実行する場合、主制御部１１０は、たとえば、検出素子上で検出された戻り光の位置の変化を解析して対物レンズに対する被検眼の角膜頂点の位置を求め、求められた位置に基づいて測定ヘッド３をＺ方向に移動する。
【００５４】
白内障モードボタンｇｂ１０は、白内障、まぶた、まつげ、瞬き等で正常に測定できないときに選択するためのボタンである。白内障モードボタンｇｂ１０に対してタッチ操作が行われたとき、主制御部１１０は、たとえば、光源の光量低下や演算処理部２００による演算処理の変更等を行うことで測定値を算出させる。
【００５５】
固視標ボタンｇｂ１１は、固視標の明るさを変更するためのボタンである。固視標ボタンｇｂ１１に対してタッチ操作が行われたとき、主制御部１１０は、固視標の明るさを段階的に又は連続的に変更する。
【００５６】
ＦＯＧボタンｇｂ１２は、連続測定において、雲霧を初回のみ行うか、毎回行うかを切り替えるためのボタンである。ＦＯＧボタンｇｂ１２に対してタッチ操作が行われたとき、主制御部１１０は、指定された態様で雲霧を行わせる。
【００５７】
プリントボタンｇｂ１３は、測定結果のプリントアウトを実行するためのボタンである。プリントボタンｇｂ１３に対してタッチ操作が行われたとき、主制御部１１０は、出力部９０を制御することにより測定結果のプリントアウトを実行させる。
【００５８】
Ｔ／Ｐ測定モードのとき、図４に示すように、タッチパネルディスプレイ１０ａの画面には、表示部Ｇ３と、操作用オブジェクト配置部Ｇ４とが設けられる。表示部Ｇ３には、被検者ＩＤ（患者ＩＤ）、検者ＩＤ、測定モード、測定結果、アライメントマーク、被検眼の画像などが表示される。操作用オブジェクト配置部Ｇ４には、複数の操作用オブジェクトが表示される。操作用オブジェクト配置部Ｇ４には、Ｒボタンｇｂ１、あご受け上下動ボタンｇｂ２、測定モードボタンｇｂ３、モードボタンｇｂ４、Ｌボタンｇｂ５、測定ヘッド前進／後進ボタンｇｂ６、スタートボタンｇｂ７、オート／マニュアルボタンｇｂ８が表示される。また、操作用オブジェクト配置部Ｇ４には、ＩＯＬモードボタンｇｂ２０、３０／６０レンジボタンｇｂ２１、測定回数切替ボタンｇｂ２２、プリントボタンｇｂ１３などが更に表示される。
【００５９】
ＩＯＬモードボタンｇｂ２０は、ＩＯＬ挿入眼等でアライメントが不可能なときに選択するためのボタンである。ＩＯＬモードボタンｇｂ２０に対してタッチ操作が行われたとき、主制御部１１０は、アライメント手段により投影された光の戻り光に基づく輝点を正常に検出できるように、光源の光量の低下や戻り光のピント位置等の制御を行う。
【００６０】
３０／６０レンジボタンｇｂ２１は、眼圧の測定レンジを切り替えるためのボタンである。３０／６０レンジボタンｇｂ２１に対してタッチ操作が行われたとき、主制御部１１０は、眼圧を測定するための圧力の検知手段の測定レンジ等を変更する。
【００６１】
測定回数切替ボタンｇｂ２２は、測定回数を切り替えるためのボタンである。測定回数切替ボタンｇｂ２２に対してタッチ操作が行われたとき、主制御部１１０は、測定回数の指定を促し、測定回数を指定された回数に設定する。
【００６２】
対応付け部１１１は、以上のようなＧＵＩに含まれる操作用オブジェクト（ボタン）を第１スイッチ部２１ａ及び第２スイッチ部２１ｂの少なくとも１つに対応付ける。すなわち、対応付け部１１１は、ＧＵＩに含まれる操作用オブジェクトのいずれかをハードスイッチに対応付けることにより、当該ハードスイッチに対し、対応付けた操作用オブジェクトの機能を割り当てる。対応付け部１１１は、１以上のハードスイッチに操作用オブジェクトを１対１、１対多又は多対１に対応付けることが可能である。
【００６３】
動作制御部１１２は、タッチパネルディスプレイ１０ａに表示された操作用オブジェクトに対するタッチ操作が行われたときと、対応付け部１１１により当該操作用オブジェクトに対応付けられたハードスイッチに対する操作が行われたときとで同じ制御を実行する。たとえば、タッチパネルディスプレイ１０ａの画面に表示されているＧＵＩにモードボタンｇｂ４が表示されており、対応付け部１１１が、第１スイッチ部２１ａにモードボタンｇｂ４を対応付けているものとする。このとき、動作制御部１１２は、モードボタンｇｂ４に対するタッチ操作が行われたときと、モードボタンｇｂ４に対応付けられた第１スイッチ部２１ａに対する押下操作が行われたときとで同じ測定モードの切替制御を実行する。それにより、従来のコントロールレバーを用いたレバー操作に慣れた検者にとって、タッチ操作が可能なタッチパネルディスプレイを備えている眼科装置に対する操作性の低下を抑えることが可能になる。
【００６４】
また、動作制御部１１２は、切り替えられた測定モードに応じて、前述の測定ヘッド３、駆動部８２、出力部９０及び演算処理部２００等を制御する。
【００６５】
表示制御部１１３は、対応付け部１１１によるハードスイッチと操作用オブジェクトとの対応関係を示す情報をタッチパネルディスプレイ１０ａ等の表示手段に表示させる。対応付け部１１１により対応付けられたハードスイッチの近傍に液晶ディスプレイ等の表示部を設け、表示制御部１１３は、対応付け部１１１によるハードスイッチと操作用オブジェクトとの対応関係を示す情報を当該表示部に表示させてもよい。また、表示制御部１１３は、対応付け部１１１によるハードスイッチと操作用オブジェクトとの対応関係を示す情報を眼科装置１の外部に設けられた表示部に表示させてもよい。このような対応関係を示す情報を表示手段に表示させることにより、検者等は、現にハードスイッチに対応付けられている操作用オブジェクトを必要に応じて確認しながらハードスイッチに対する操作を行うことができる。
【００６６】
また、表示制御部１１３は、前述のＧＵＩをタッチパネルディスプレイ１０ａ等に表示させる。
【００６７】
また、主制御部１１０は、記憶部１２０にデータを書き込む処理や、記憶部１２０からデータを読み出す処理を行う。
【００６８】
記憶部１２０は、各種のデータを記憶する。記憶部１２０に記憶されるデータとしては、たとえば、被検眼の画像データ、被検眼情報、対応付け部１１１によるハードスイッチと操作用オブジェクトとの対応関係を示す制御情報などがある。被検眼情報は、患者ＩＤや氏名などの被検者に関する情報や、左眼／右眼の識別情報などの被検眼に関する情報を含む。また、記憶部１２０には、眼科装置１を動作させるための各種プログラムやデータが記憶されている。
【００６９】
図５に、記憶部１２０に記憶された制御情報の一例を示す。制御情報は、ハードスイッチに割り当てられた操作用オブジェクトを特定するための操作用オブジェクト情報があらかじめ対応付けられている。たとえば、表示制御部１１３は、タッチパネルディスプレイ１０ａの画面に設定画面を表示させる。また、表示制御部１１３は、第１スイッチ部２１ａ及び第２スイッチ部２１ｂのそれぞれについて、対応付けが可能な操作用オブジェクトの候補を設定画面に表示させる。主制御部１１０は、設定画面に表示された候補の中から検者等により指定された操作用オブジェクトを受け付ける。対応付け部１１１は、検者等により指定された操作用オブジェクトを特定するための操作用オブジェクト情報を第１スイッチ部２１ａ及び第２スイッチ部２１ｂに関連付けて制御情報として記憶部１２０に保存する。
【００７０】
測定ヘッド３は、実施形態に係る「取得部」の一例である。測定モードは、実施形態に係る「取得部の動作モード」の一例である。
【００７１】
［動作例］
図６に、実施形態に係る眼科装置１の動作例のフロー図を示す。たとえば、図６に示す処理に対応したプログラムが記憶部１２０にあらかじめ記憶されており、主制御部１１０が記憶部１２０に記憶されたプログラムを読み出し、読み出されたプログラムに対応した処理を実行する。
【００７２】
（Ｓ１）
主制御部１１０は、タッチパネルディスプレイ１０ａの画面に表示されたＧＵＩ（たとえば、図３又は図４に示す操作用オブジェクト）に対してタッチ操作が行われたか否かを判定する。ＵＩ部１０は、タッチパネルディスプレイ１０ａの画面に対するタッチ操作を公知の手法により検出することが可能である。主制御部１１０は、ＵＩ部１０によるタッチ操作の検出結果を参照することにより画面に対してタッチ操作が行われたか否かを判定することが可能である。たとえば、タッチパネルディスプレイ１０ａの画面に対し、２次元座標系があらかじめ定義されている。ＵＩ部１０は、画面に対するタッチ操作が検出されたとき、タッチ操作が検出された２次元座標系における位置情報を主制御部１１０に対して出力する。主制御部１１０は、位置情報を解析することによりタッチ操作が行われたか否かを判定することができる。タッチ操作が行われたと判定されたとき（Ｓ１：Ｙ）、眼科装置１の動作はＳ２に移行する。タッチ操作が行われたと判定されなかったとき（Ｓ１：Ｎ）、眼科装置１の動作はＳ５に移行する。
【００７３】
（Ｓ２）
タッチパネルディスプレイ１０ａの画面に表示されたＧＵＩに対してタッチ操作が行われたと判定されたとき（Ｓ１：Ｙ）、主制御部１１０は、ＵＩ部１０からの位置情報やその検出時間（たとえば、画面への接触時間）に基づいてタッチ操作内容を解析する。
【００７４】
（Ｓ３）
主制御部１１０は、Ｓ２において解析された操作内容に基づいて、Ｓ１において検出されたタッチ操作の内容を特定する。
【００７５】
（Ｓ４）
主制御部１１０は、Ｓ３において特定されたタッチ操作内容に基づいて眼科装置１の各部を制御する。その後、眼科装置１の動作はＳ１に移行する（リターン）。
【００７６】
（Ｓ５）
Ｓ１においてＧＵＩに対してタッチ操作が行われたと判定されなかったとき（Ｓ１：Ｎ）、主制御部１１０は、操作ユニット２０の第１スイッチ部２１ａ又は第２スイッチ部２１ｂに対して押下操作が行われたか否かを判定する。操作ユニット２０は、前述のように第１スイッチ部２１ａ又は第２スイッチ部２１ｂに対する押下操作を検出することが可能である。主制御部１１０は、操作ユニット２０による押下操作の検出結果を参照することにより第１スイッチ部２１ａ又は第２スイッチ部２１ｂに対して押下操作が行われたか否かを判定することが可能である。第１スイッチ部２１ａ又は第２スイッチ部２１ｂに対する押下操作が行われたと判定されたとき（Ｓ５：Ｙ）、眼科装置１の動作はＳ６に移行する。第１スイッチ部２１ａ又は第２スイッチ部２１ｂに対する押下操作が行われたと判定されなかったとき（Ｓ５：Ｎ）、眼科装置１の動作はＳ８に移行する。
【００７７】
（Ｓ６）
第１スイッチ部２１ａ又は第２スイッチ部２１ｂに対する押下操作が行われたと判定されたとき（Ｓ５：Ｙ）、主制御部１１０は、記憶部１２０に記憶された制御情報（図５）を参照する。主制御部１１０は、制御情報に基づいて、Ｓ５において押下操作が行われたと判定されたスイッチ部に対応付けられた操作用オブジェクトを特定する。
【００７８】
（Ｓ７）
主制御部１１０は、Ｓ５において押下操作が行われたと判定されたスイッチ部に対する操作を、Ｓ６において特定された操作用オブジェクトに対する操作であると判断し、操作内容を特定する。その後、眼科装置１の動作はＳ４に移行する。すなわち、主制御部１１０は、Ｓ７において特定された操作内容に基づいて眼科装置１の各部を制御する。
【００７９】
（Ｓ８）
第１スイッチ部２１ａ又は第２スイッチ部２１ｂに対する押下操作が行われたと判定されなかったとき（Ｓ５：Ｎ）、主制御部１１０は、操作ユニット２０のコントロールレバー２２に対してレバー操作が行われたか否かを判定する。操作ユニット２０は、前述のようにコントロールレバー２２に対するレバー操作を検出し、レバー操作による操作内容（傾倒方向、傾倒角度）を主制御部１１０に対して出力する。主制御部１１０は、操作ユニット２０からのレバー操作の操作内容に基づいてレバー操作が行われたか否かを判定することが可能である。
【００８０】
レバー操作が行われたと判定されたとき（Ｓ８：Ｙ）、眼科装置１の動作はＳ４に移行する。すなわち、主制御部１１０は、Ｓ８において検出されたレバー操作による操作内容に基づいて眼科装置１の各部を制御する。
【００８１】
レバー操作が行われたと判定されなかったとき（Ｓ８：Ｎ）、眼科装置１の動作はＳ１に移行する（リターン）。
【００８２】
以上のように、ハードスイッチに対し、ＧＵＩに含まれる操作用オブジェクトの機能を割り当てることにより、検者は、タッチパネルディスプレイ１０ａに対するタッチ操作を行うことなく、ハードスイッチに対する操作を行うことができる。したがって、コントロールレバーを用いたレバー操作に慣れた検者にとって、タッチ操作が可能なタッチパネルディスプレイを備えている眼科装置に対する操作性の低下を抑えることが可能になる。
【００８３】
［変形例］
以上に示された実施形態は、この発明を実施するための一例に過ぎない。この発明を実施しようとする者は、この発明の要旨の範囲内において任意の変形、省略、追加等を施すことが可能である。
【００８４】
（変形例１）
前述の実施形態において、ハードスイッチに対応付けることが可能な操作用オブジェクトは、測定モードに応じて変更されてもよい。対応付け部１１１は、測定モードが変更されたとき、第１スイッチ部２１ａ及び第２スイッチ部２１ｂの少なくとも１つに対応付けが可能な操作用オブジェクトの候補を提示することが可能である。たとえば、対応付けが可能な操作用オブジェクトの候補は、タッチパネルディスプレイ１０ａに表示される。
【００８５】
図７に、実施形態の変形例１に係る動作説明図を示す。図７は、測定モードに応じて第１スイッチ部２１ａ及び第２スイッチ部２１ｂのそれぞれに対応付けが可能な操作用オブジェクト（ボタン）の候補の一例を表したものである。
【００８６】
たとえば、Ｒ／Ｋ測定モード又はＴ／Ｐ測定モードでは、第１スイッチ部２１ａ等に対応付けが可能な操作用オブジェクトの候補には、Ｒボタンｇｂ１、Ｌボタンｇｂ５、あご受け上下動ボタンｇｂ２、オート／マニュアルボタンｇｂ８及びプリントボタンｇｂ１３がある。たとえば、Ｒボタンｇｂ１が対応付けられた第１スイッチ部２１ａ又は第２スイッチ部２１ｂはトグルスイッチとして動作し、押下操作が行われる毎に測定ヘッド３が右眼の測定位置と左目の測定位置に交互に移動される。或いは、たとえば、Ｌボタンｇｂ５が対応付けられた第１スイッチ部２１ａ又は第２スイッチ部２１ｂはトグルスイッチとして動作する。
【００８７】
また、測定モードがＲ／Ｋ測定モード又はＴ／Ｐ測定モードにおいて、第１スイッチ部２１ａ及び第２スイッチ部２１ｂのそれぞれに対応付けが可能な操作用オブジェクトの候補には、あご受け上下動ボタンｇｂ２の上方向の移動ボタン及び下方向の移動ボタンが含まれる。
【００８８】
更に、Ｒ／Ｋ測定モードにおいて、第１スイッチ部２１ａ又は第２スイッチ部２１ｂに対応付けが可能な操作用オブジェクトの候補には、測定モードボタンｇｂ３、白内障モードボタンｇｂ１０、固視標ボタンｇｂ１１、ＦＯＧボタンｇｂ１２が含まれる。同様に、Ｔ／Ｐ測定モードにおいて、第１スイッチ部２１ａ等に対応付けが可能な操作用オブジェクトの候補には、測定モードボタンｇｂ３、ＩＯＬモードボタンｇｂ２０、３０／６０レンジボタンｇｂ２１、測定回数切替ボタンｇｂ２２が含まれる。
【００８９】
また、対応付け部１１１は、測定モードが変更されたとき、第１スイッチ部２１ａ及び第２スイッチ部２１ｂと操作用オブジェクトとの対応付けを自動で変更することが可能である。たとえば、第１スイッチ部２１ａが、Ｒ／Ｋ測定モードでは白内障モードボタンｇｂ１０に対応付けられ、Ｔ／Ｐ測定モードではＩＯＬモードボタンｇｂ２０が対応付けられているものとする。この場合に、Ｒ／Ｋ測定モードからＴ／Ｐ測定モードに変更されたとき、第１スイッチ部２１ａは、白内障モードボタンｇｂ１０として動作していた状態からＩＯＬモードボタンｇｂ２０として動作する状態に切り替えられる。
【００９０】
（変形例２）
前述の実施形態において被検眼の測定等を行う場合、２以上の動作が順次に行われる。この測定シーケンスの各動作フェーズにおいて、ハードスイッチに対応付けることが可能な操作用オブジェクトが変更されてもよい。被検眼を測定するために上記の２以上の動作に含まれる第１動作から次の第２動作に移行されたとき、対応付け部１１１は、第１スイッチ部２１ａ及び第２スイッチ部２１ｂの少なくとも１つに対応付けが可能な操作用オブジェクトの候補を提示することが可能である。たとえば、対応付けが可能な操作用オブジェクトの候補は、タッチパネルディスプレイ１０ａに表示される。
【００９１】
図８に、実施形態の変形例２に係る動作説明図を示す。図８は、患者ＩＤの入力等の患者準備、アライメント及び測定を順次に行う場合に、各動作フェーズにおいて第１スイッチ部２１ａ及び第２スイッチ部２１ｂのそれぞれに対応付けが可能な操作用オブジェクト（ボタン）の候補の一例を表したものである。以下、本変形例に係る測定シーケンスは、患者準備フェーズ、アライメントフェーズ、測定フェーズ、測定終了フェーズの順序で行われるものとする。
【００９２】
たとえば、患者準備フェーズにおいて、Ｒ／Ｋ測定モード又はＴ／Ｐ測定モードでは、第１スイッチ部２１ａ等に対応付けが可能な操作用オブジェクトの候補には、Ｒボタンｇｂ１、Ｌボタンｇｂ５、あご受け上下動ボタンｇｂ２及びオート／マニュアルボタンｇｂ８がある。同様に、Ｒ／Ｋモード測定では、第１スイッチ部２１ａ又は第２スイッチ部２１ｂに対応付けが可能な操作用オブジェクトの候補には、測定モードボタンｇｂ３、固視標ボタンｇｂ１１及びＦＯＧボタンｇｂ１２が含まれる。
【００９３】
Ｒ／Ｋ測定モードやＴ／Ｐ測定モードでは、第１スイッチ部２１ａ等に対応付けが可能な操作用オブジェクトの候補が動作フェーズに応じて変更される。Ｒ／Ｋ測定モードやＴ／Ｐ測定モードについても同様である。
【００９４】
また、対応付け部１１１は、順次に行われる２以上の動作に含まれる第１動作から次の第２動作に移行されたとき、第１スイッチ部２１ａ及び第２スイッチ部２１ｂと操作用オブジェクトとの対応付けを自動で変更することが可能である。たとえばＴ／Ｐ測定モードにおいて、第１スイッチ部２１ａが、患者準備フェーズで測定モードボタンｇｂ３に対応付けられ、アライメントフェーズではＩＯＬモードボタンｇｂ２０に対応付けられ、測定フェーズでは３０／６０レンジボタンｇｂ２１に対応付けられる。この場合に、患者準備フェーズからアライメントフェーズに移行されたとき、第１スイッチ部２１ａは、測定モードボタンｇｂ３として動作していた状態からＩＯＬモードボタンｇｂ２０として動作する状態に切り替えられる。
【００９５】
（変形例３）
前述の実施形態において、眼科装置１を操作する検者の位置に応じて、ハードスイッチに対応付けることが可能な操作用オブジェクトが変更されてもよい。本変形例では、タッチパネルディスプレイ１０ａの画面の向きを検出することにより検者の位置を特定する。対応付け部１１１は、向き検出部１１により検出されたタッチパネルディスプレイ１０ａの画面の向きに応じて第１スイッチ部２１ａ及び第２スイッチ部２１ｂの少なくとも１つに対応付けが可能な操作用オブジェクトの候補を提示することが可能である。たとえば、対応付けが可能な操作用オブジェクトの候補は、タッチパネルディスプレイ１０ａに表示される。
【００９６】
また、対応付け部１１１は、向き検出部１１により検出されたタッチパネルディスプレイ１０ａの画面の向きに応じて第１スイッチ部２１ａ及び第２スイッチ部２１ｂと操作用オブジェクトとの対応付けを変更してもよい。
【００９７】
［効果］
実施形態又はその変形例に係る眼科装置の効果について説明する。
【００９８】
実施形態に係る眼科装置（眼科装置１）は、取得部（測定ヘッド３）と、タッチパネルディスプレイ（タッチパネルディスプレイ１０ａ）と、１以上のハードスイッチ（第１スイッチ部２１ａ及び第２スイッチ部２１ｂ）と、対応付け部（対応付け部１１１）と、動作制御部（動作制御部１１２）とを含む。取得部は、被検眼のデータを光学的に取得する。タッチパネルディスプレイは、データを取得するための操作用オブジェクトを含むＧＵＩを表示する。タッチパネルディスプレイと、対応付け部は、１以上のハードスイッチの少なくとも１つに操作用オブジェクトを対応付ける。動作制御部は、操作用オブジェクトに対するタッチ操作が行われたときと、対応付け部により操作用オブジェクトに対応付けられたハードスイッチに対する操作が行われたときとで同じ制御を実行する。
【００９９】
このような構成によれば、ＧＵＩに含まれる操作用オブジェクトの機能をハードスイッチに対して割り当てることができるので、操作者は、タッチパネルディスプレイに対するタッチ操作を行うことなく、ハードスイッチに対する操作を行うことができる。したがって、コントロールレバーを用いたレバー操作に慣れた操作者にとって、タッチ操作が可能なタッチパネルディスプレイを備えている眼科装置に対する操作性の低下を抑えることが可能になる。
【０１００】
また、実施形態に係る眼科装置は、対応付け部によるハードスイッチと操作用オブジェクトとの対応関係を示す情報を表示手段（タッチパネルディスプレイ１０ａ）に表示させる表示制御部（表示制御部１１３）を含んでもよい。
【０１０１】
このような構成によれば、眼科装置の操作者は、現にハードスイッチに対応付けられている操作用オブジェクトを必要に応じて確認しながらハードスイッチに対する操作を行うことができる。
【０１０２】
また、実施形態に係る眼科装置は、１以上のハードスイッチの少なくとも１つの近傍に設けられたコントロールレバー（コントロールレバー２２）を含んでもよい。
【０１０３】
このような構成によれば、眼科装置の操作者は、コントロールレバーを把持しつつハードスイッチに対する操作を行うことが可能になり、操作中に視線を移動させることなく傾倒操作やハードスイッチに対する操作を行うことができる。
【０１０４】
また、実施形態に係る眼科装置では、対応付け部は、取得部の動作モードが変更されたとき、１以上のハードスイッチの少なくとも１つに対応付けが可能な操作用オブジェクトの候補を提示してもよい。
【０１０５】
このような構成によれば、取得部の動作モードを変更しつつ同じハードスイッチに対して異なる操作用オブジェクトを割り当てることができ、眼科装置に対する操作性を向上させることができる。
【０１０６】
また、実施形態に係る眼科装置では、対応付け部は、取得部の動作モードが変更されたとき、１以上のハードスイッチと操作用オブジェクトとの対応付けを変更してもよい。
【０１０７】
このような構成によれば、事前にハードスイッチに所望の操作用オブジェクトを対応付けておくことにより、取得部の動作モードが変更された場合でも眼科装置に対する操作性を向上させることができる。
【０１０８】
また、実施形態に係る眼科装置では、データを取得するための２以上の動作を順次に行う場合、対応付け部は、上記の２以上の動作のいずれかの動作から次の動作に移行されたとき、１以上のハードスイッチの少なくとも１つに対応付けが可能な操作用オブジェクトの候補を提示してもよい。
【０１０９】
このような構成によれば、所定のシーケンスで眼科装置が動作する場合に、同じハードスイッチに対して異なる操作用オブジェクトを割り当てることができ、眼科装置に対する操作性を向上させることができる。
【０１１０】
また、実施形態に係る眼科装置では、データを取得するための２以上の動作を順次に行う場合、対応付け部は、上記の２以上の動作のいずれかの動作から次の動作に移行されたとき、１以上のハードスイッチと操作用オブジェクトとの対応付けを変更してもよい。
【０１１１】
このような構成によれば、所定のシーケンスで眼科装置が動作する場合でも、事前にハードスイッチに所望の操作用オブジェクトを対応付けておくことにより眼科装置に対する操作性を向上させることができる。
【０１１２】
また、実施形態に係る眼科装置は、タッチパネルディスプレイの画面の向きを検出する向き検出部を含み、対応付け部は、向き検出部により検出された画面の向きに応じて１以上のハードスイッチの少なくとも１つに対応付けが可能な操作用オブジェクトの候補を提示してもよい。
【０１１３】
このような構成によれば、眼科装置に対する位置に応じて、同じハードスイッチに対して異なる操作用オブジェクトを割り当てることができ、眼科装置に対する操作性を向上させることができる。
【０１１４】
また、実施形態に係る眼科装置は、タッチパネルディスプレイの画面の向きを検出する向き検出部を含み、対応付け部は、向き検出部により検出された画面の向きに応じて１以上のハードスイッチと操作用オブジェクトとの対応付けを変更してもよい。
【０１１５】
このような構成によれば、眼科装置に対する位置が変更された場合でも、事前にハードスイッチに所望の操作用オブジェクトを対応付けておき、タッチパネルディスプレイの画面の向きを変更することにより、眼科装置に対する操作性を向上させることができる。
【０１１６】
（その他の変形例）
前述の実施形態又はその変形例では、操作ユニット２０が眼科装置１に対して着脱可能である場合について説明したが、眼科装置１と操作ユニット２０とが一体に形成されていてもよい。眼科装置１にハードスイッチ（第１スイッチ部２１ａ及び第２スイッチ部２１ｂ）が設けられていてよい。
【０１１７】
前述の実施形態又はその変形例では、ハードスイッチとして第１スイッチ部２１ａ及び第２スイッチ部２１ｂを例に説明したが、実施形態に係る眼科装置はスイッチの数に限定されるものではない。
【０１１８】
前述の実施形態又はその変形例では、ハードスイッチとして押下操作を行うためのスイッチを例に説明したが、実施形態はハードスイッチに対する操作内容に限定されるものではない。
【０１１９】
前述の実施形態又はその変形例において、対応付け対象のハードスイッチに対する押下操作中に別途に設けられたＧＵＩの操作用オブジェクトに対するタッチ操作を行うことにより当該ハードスイッチに対して当該操作用オブジェクトを対応付けることが可能である。また、ＧＵＩに対して長押し等の特定のタッチ操作を行うことにより、所望のハードスイッチに対してタッチ操作が行われた操作用オブジェクトを対応付けるようにしてもよい。
【０１２０】
上記の実施形態又はその変形例において説明した構成を任意に組み合わせることが可能である。
【符号の説明】
【０１２１】
１  眼科装置
３  測定ヘッド
１０  ＵＩ部
１０ａ  タッチパネルディスプレイ
２０  操作ユニット
２１  ハードスイッチ
２１ａ  第１スイッチ部
２１ｂ  第２スイッチ部
１００  制御部
１１０  主制御部
１１１  対応付け部
１１２  動作制御部
【図１】
0006619172.tif 000002
【図２】
0006619172.tif 000003
【図３】
0006619172.tif 000004
【図４】
0006619172.tif 000005
【図５】
0006619172.tif 000006
【図６】
0006619172.tif 000007
【図７】
0006619172.tif 000008
【図８】
0006619172.tif 000009